(57)【要約】      （修正有）【課題】携帯電話・ＰＨＳ・記録装置用のリモコン等の電子機器において、情報選択が容易な一次元タッチパッドシステムを提供する。【解決手段】直線あるいは、直線の両終端を曲げた設計の曲線又はＣ文字型又は環状の一次元タッチパッドと専用のタッチパッド制御手段等の組み合わせにより、前記ホイール回転体や回転検知センサー・回転軸等を実装せずに軽薄短小化・低コスト且つ、スピーディでスマートなスクロールやタイトルの選択操作や電子番組表での番組予約が可能な一次元タッチパッドシステムを構成する。【選択図】図２
0003157187.tif 000002
【実用新案登録請求の範囲】
【請求項１】
複数の領域に分割されていない、かつ領域を特定の単一の選択候補に割り当てられていない一次元タッチパッドの長手方向しかタッチ情報の検知を行わない、あるいは短手方向で僅かな幅の検知しか行わない、横と縦軸からなる二次元体の平板に於けるｘ軸とｙ軸上の点として定義される座標位置や座標位置の移動量を検知する従来のタッチパッドと異なり、一次元である直線状あるいは曲線状の一次元タッチパッド３７上のタッチ始点とタッチ中の移動点・指リリース点の間の移動量と順あるいは逆方向を検知する一次元タッチパッド３７と、このタッチパッドを電気的にコントロールする為のタッチパッド制御手段３６と、タッチ点を検知するタッチ始点検知手段３０と、タッチ後にタッチ中に移動している点をリアルタイムで検知し表示手段と連動させ表示切替の為連携を行うタッチ中の点の検知手段３１と、タッチした後に前記タッチパッドから指をリリースし離したリリース点の検知手段３２と、前記の３つの検知手段３０と３１と３２で検知されたデータを記憶するタッチ始点・タッチ中の点・リリース点を記憶するメモリー４０、これに基づき一次元移動量と移動方向の演算を行う為の一次元移動量と移動方向の検知手段４１と、前記タッチパッドとテンキー等のキーボタン３４からの入力情報をタッチ中の点の検知手段３１からの情報を踏まえ連携したリアルタムでの選択候補の表示と表示切替を行う為の表示切替手段３３と、表示データを記憶・表示出力を生成・表示管理する為の表示制御手段３３と、表示を行う表示装置と駆動回路からなる表示手段３３と、方向キー・決定キー等の押しボタンの検知・管理を行う前記キーボタンとキー入力手段３４と、前記のキーボタンとキー入力検知手段とタッチパッド制御手段からの選択・入力情報と表示切替を行う前記の表示制御手段３３の管理を行う制御手段３５から構成される一次元タッチパッドシステムに於いて、ＨＤＤ・光ディスク・メモリーからなる記憶手段３８を有し、これに撮影・記録あるいはダウンロードした任意の選択候補である静止画・動画・音楽ファイル・メールアドレス・電話番号・ＦＡＸ番号の選択候補の選択・管理・再生・表示選択を行う為のファイル一覧管理手段５２を内蔵し、前記タッチ中の点の検知手段からの情報に基づき、一次元タッチパッド上のタッチ・なぞりによるタッチ始点とタッチしつつなぞっている点との間の移動量と移動方向に対応する選択候補の表示切替を表示切替手段と表示制御手段３３にて行い、お目当ての選択候補の表示時にタッチ中の指をリリースし、リリース点の検知手段を利用し、選択候補一覧のファイル名の一覧表上でのファイル選択・表示画面のページ切替え・画面スクロール操作がスピーディに行える事を特徴とする、ファイルと任意の画面位置の選択（スクロール）を行う携帯電話・記録装置用リモコン・ＰＨＳ用の一次元タッチパッドシステム。
【請求項２】
請求項１に記載の一次元タッチパッドシステムであって、電子機器・リモコンの方向キー４の周辺部に配置可能な様に直線の前記一次元タッチパッドの両端を曲げたＣ文字型又は環状に設計した一次元タッチパッドを内蔵し、ファイルあるいは特定の表示画面位置の選択候補の選択が前記一次元タッチパッドのタッチ・なぞり・リリースにより、候補選択可能な事を特徴とする、ファイルと任意の画面位置の選択を行える携帯電話・記録装置用リモコン・ＰＨＳ用の一次元タッチパッドシステム。
【請求項３】
請求項１又は請求項２に記載の一次元タッチパッドシステムであって、選択候補の表示切替に対応した前記一次元タッチパッド上に、スピーディな選択候補の選択あるいはスピーディなスクロール量・画面切替量の電子機器への指示を行う為の複数の突起あるいは凹凸を一定間隔で形成し、利用者が指の触覚にて前記一次元タッチパッド上をなぞった際に、突起あるいは凹凸の数から移動量を知覚しつつ選択あるいはスクロール指示が可能な事を特徴とするファイルと任意の画面位置の選択を行う為の携帯電話・記録装置用リモコン・ＰＨＳ用の一次元タッチパッドシステム。
【請求項４】
請求項１又は請求項２又は請求項３に記載の一次元タッチパッドシステムであって、携帯電話・ＰＨＳで、受信あるいは送信したメッセージのファイルの選択・管理・表示を行う為の受信・送信メールのメッセージ管理手段５３と記憶手段３８の内蔵により、一次元タッチパッドのタッチ・なぞり移動により、タッチ始点とタッチ中の点との間の移動量と移動方向に対応する現在のカーソル位置あるいは表示画面のスクロール位置の表示切替・表示制御手段内の表示メモリーの書替えを行い、受信したメール・過去に送信した携帯メール・ＦＡＸの受信メッセージの一覧表に於いて、任意のメールメッセージの特定のファイル選択あるいは一覧画面のページ切替が迅速且つ効率的に行う事が可能な事を特徴とするファイルと任意の画面位置の選択指示を行う為の携帯電話・ＰＨＳ用の一次元タッチパッドシステム。
【請求項５】
請求項１又は請求項２又は請求項３に記載の一次元タッチパッドシステムであって、インターネットのＨＰを表示する為のスクロール手段３９と記憶手段３８の内蔵により、画像と文字等から構成されるＨＰデータを記憶手段３８に記憶し、表示画面にＨＰ情報の表示を行い、一次元タッチパッドのタッチ・なぞり・リリース離しにより、表示制御手段内の表示メモリーの書替えを行い、タッチ始点とタッチ中の点との間の移動量と移動方向に対応するスクロール・表示画面切替・カーソル位置の移動を行い、お目当ての選択候補位置にて指のリリースにより、携帯電話・ＰＨＳのＨＰ閲覧画面に於いてスピーディでスマートな画面スクロールあるいは現在の選択位置を示すカーソルの移動が可能なことを特徴とするファイルと任意の画面位置の選択指示を行う為の携帯電話・ＰＨＳ用の一次元タッチパッドシステム。
【請求項６】
請求項１又は請求項２又は請求項３に記載の一次元タッチパッドシステムであって、メールアドレスあるいは通話先の電話番号・メールアドレスと宛名名からなるデータを管理可能なアドレス帳管理手段５３と記憶手段３８の内蔵により、メール宛先又は電話番号の一覧表で構成されるアドレス帳の一覧表と選択候補の表示を行い、一次元タッチパッドのタッチ・なぞりにより、表示制御手段内の表示メモリーの書替えを行い、タッチ始点とタッチ中の点との間の移動量と移動方向に対応する現在の選択中の宛先の選択候補の表示切替を行い、任意の選択候補の表示時に指をリリースし離す事をリリース点の検知手段にて検知し、スピーディ且つスマートに選択あるいは一覧表のページ切り替えが可能なことを特徴とするファイルと任意の画面位置の選択指示を行う為の携帯電話・ＰＨＳ用一次元タッチパッドシステム。
【請求項７】
請求項１又は請求項２又は請求項３に記載の一次元タッチパッドシステムであって、メモ帳を利用した文字入力編集機能を有するメモ帳管理手段５１と記憶手段３８を内蔵し、携帯電話・ＰＨＳに於いて、前記一次元タッチパッドのタッチ・なぞり、一次元タッチパッド上の任意の位置での指のリリース離しにより、タッチ始点となぞり・リリースした点との間の移動量と移動方向に対応する表示画面の切替・スクロールを行い、メモ帳に於ける画面スクロール・現在の文字入力位置であるカーソル位置の切替・移動をスピーディにスマートに指示が可能なことを特徴とするファイルと任意の画面位置の選択を行う為の携帯電話・ＰＨＳ用の一次元タッチパッドシステム。
【請求項８】
請求項１又は請求項２又は請求項３に記載の一次元タッチパッドシステムに於いて、データ放送により提供される電子番組表の管理と前記一次元タッチパッドのスクロール方向を切り替える為のスクロール方向の切替ボタンを監視する電子番組表管理手段２８と縦横のスクロール方向の切り替えボタン２４を内蔵し、テレビチャンネルの切替えを方向キーで切替えあるいは前記切替ボタン２４を利用しチャンネルの切替えを行い、一次元タッチパッドのタッチ・なぞり・リリース離しにより、予約時間・日の選択を行う為に、携帯電話の表示画面あるいはテレビ画面に、タッチ始点とタッチ中の点との間の移動量と移動方向に対応する現在の選択番組の表示・表示切替・画面のスクロールを行い、目的の番組が選択された状態で指をリリースし、電子番組表による視聴あるいは録画予約を一次元タッチパッドにてスピーディにスマートに打鍵数を削減しつつ、視聴予約・録画予約を行える事を特徴とする、ファイルと任意の画面位置の選択指示を行う為の携帯電話・ＰＨＳ・記録装置用リモコン用の一次元タッチパッドシステム。
【請求項９】
請求項１又は請求項２又は請求項３に記載の一次元タッチパッドを利用したシステムであって、一次元タッチパッドの採用により、ファイルと任意の画面位置の選択指示を行う為の携帯電話・ＰＨＳ用の一次元タッチパッドシステム。
【請求項１０】
請求項１又は請求項２又は請求項３に記載の一次元タッチパッドシステムであって、携帯電話・記録装置用リモコン・ＰＨＳのワンセグテレビ又はテレビ放送の音量・通話時の音量の調整が一次元タッチパッドにて、スピーディに行える音量調整手段の内蔵により、スピーカーあるはイヤーフォンのから出力される音量を、前記音声調整手段の音量調整バーあるいは音量の数値を表示させたウインドウに於いて、一次元タッチパッドによるタッチ・なぞり・リリースによる移動量と移動方向の指示による現在の音量レベルを示すバーあるいは数値を切り替える事が可能な事を特徴とするファイルと任意の画面位置の選択を行う為の携帯電話・ＰＨＳ・記録装置用リモコン用の一次元タッチパッドシステム。
【請求項１１】
請求項１又は請求項２又は請求項３に記載の一次元タッチパッドシステムであって、ワンセグチューナー内蔵の携帯電話あるいはデータ放送対応のテレビ・記録装置に於いて、視聴する放送局選択手段の内蔵により、タッチしなぞりを検知する為のタッチ中の点の検知手段にて表示手段より表示されている選択候補をリアルタイムで表示切替手段にてチャンネルの選択候補の表示切替を行い、視聴するチャンネルを一次元タッチパッドのタッチ・なぞりにより、特定の希望のチャンネルに於いて指のリリースを行う事により、チャンネルの選択・画面切り替えが可能な事を特徴とするファイルと任意の画面位置の選択を行う為の携帯電話・記録装置用リモコン用の一次元タッチパッドシステム。
【考案の詳細な説明】
【技術分野】
【０００１】携帯電話、テレビ・記録装置用リモコン等の電子機器用のファイルと画面位置の選択（スクロール）を行う為のタッチパッドセンサーの技術分野に関するものです。
【背景技術】
【０００２】携帯電話、テレビ・記録装置用リモコン等の電子機器には、方向キーと決定キーが利用されている。  記録装置に記憶されたファイルの再生・表示の為のファイル選択や携帯電話に於けるＨＰやメール入力編集画面位置の選択（スクロール）の為には、方向キーを多数回打鍵し、選択する手間が求められている。  この候補選択と画面位置の切替・選択（スクロール）のスピーディ化・スマート化が求められており、一部の携帯電話では、方向キーを兼ねるホイールと回転検知センサーや回転軸や回転体機構からなるホイールシステムによるスピーディでスマートな回転による順・逆方向での選択候補の選択・画面のスクロールを実現している。しかしユーザの更なる軽薄短小化・お求め易い低価格化、デザイン性向上の為のシンプル化ニーズに応えるという複数の課題の同時の解決の考案が求められている。
【考案の開示】
【考案が解決しようとする課題】
【０００３】携帯電話、地上デジタル（地デジ）テレビ・記録装置用リモコン等の電子機器には、方向キーと決定キーが実装されている。
記録・撮影あるいはダウンロードした任意の画像・動画・静止画のファイルの選択や、携帯電話での受信あるいは送信した表示させたいメッセージの選択、アドレス帳からの相手先電話番号やＦＡＸ番号やメールアドレスからの特定の相手の電話番号の選択、携帯電話のメール文の入力画面に於ける任意の表示の画面位置を選択・切替える画面（スクロール）や、ＨＰ画面に於ける特定の画面位置を選択するスクロールの為に、方向キーを何度も何度も押し・打鍵する必要があり利便性が良いとは言えない。
特に前記の電子機器には、大容量のＨＤＤ・フラッシュメモリー・ＲＡＭ等の記憶手段が内蔵されており、沢山のファイルが記憶されており、任意のファイルを選択する為には、方向キーを多数回打鍵する操作が求められる。
更にテレビ・記録装置用のリモコンに於いて、録画予約する電子番組表にて１週間程度先までの任意の放送局・日時の番組の番組予約を行う為にも、何度も何度も、方向キーを押し続け、前記電子番組表上での現在選択している番組を左右上下へ移動させ、任意の番組を選択し、決定ボタンにて予約登録する必用があり、スピーディ且つスマートで効率的・迅速とは言えない。
この操作の迅速化・スピーディ化を図り、利便性を追求すると共に、ユーザから求められる軽薄端小性向上と新興国の中流階層のボリュームゾーンをターゲットとする低コスト化・広く市場での普及を目指した値段の実現の為のシンプル化を両立することが求められている。
携帯電話では、変換候補の選択や画面スクロール作業の迅速化・効率化の為に、ホイール回転体と回転検知センサーを搭載した機種もあり、変換候補の選択の迅速化によりスピーディなファイル選択が可能である。
しかし方向キーを兼ねるホイールと回転軸と回転センサーの内蔵・実装が必要であり、軽薄短小化と低価格化のトレンドと逆行してしまう為、シンプル性とコスト力とデザインフレキシビリティと軽薄短小性を兼ね備えた効率的な前記の選択行動や画面のスクロール指示が求められている。この課題を解決する為にデザインフレキシビリティに優れた一次元タッチパッドとタッチパッドの指でのタッチし・なぞり・リリースを検知する為の一次元タッチパッド制御手段で構成されるシステムが求められている。
更にテレビ番組の録画が可能な記録装置や番組予約による視聴予約が可能なテレビでは、データ放送により電子番組表が提供され、横に時間・日と縦にチャンネルあるいは縦横が逆に表示され、方向キーによる左右上下方向に自由に現在の選択番組を移動させ、決定キー等により録画あるいは視聴予約が可能となる。録画機器では、一般に一週間先の番組まで予約が可能であるが、一週間先の番組の予約では、多数の番組の件数に相当する方向キーの打鍵が必用となる。
より簡便な電子番組表による予約操作の迅速化を目指し、一部の携帯電話に実装されているホイール回転体等の回転動作により方向キーを使用しないで済むスマートでスピーディな予約が求められており、ホイール回転により順あるいは逆方向へのスクロール指示が可能となる。しかし前記電子機器は、軽薄短小化と新興国のボリュームゾーンの中間層にも受入れられるコスト力が同時に求められる為、前記のホイール機構を更に進化した次世代ソリューションの考案が求められている。
携帯電話やテレビ用のリモコンのハイエンド機種には、表示装置と二次元タッチパッドを組み合わせた商品が開発されており、高機能を実現しているが、二次元パッドシステムに於いてタッチ座標位置を検知する為に入出力の端子を多数有するタッチパッド制御検知ＬＳＩと大きな面のタッチパッドと検知分解能に対応する大容量の座標メモリーの実装が求められる事から、値段が高く富裕層向けのモデルに限定的に採用され、広くマーケットで普及しているとは言えない。
現在、日本企業を取り巻く経営環境は北米金融危機と過度な円高を受け疲弊しており、創意とイノベーションに基づきユーザの利便性に優れ、且つ万民への普及が可能な値段のシンプル性・デザイン性に優れた新製品を、新興国の中流層をもターゲットに開発・発売し、金融危機からの復興に向けた日本経済の牽引が求められている。
現在のタッチパッドは、ノートＰＣ用のポインティングデバイスとしてｘ軸とｙ軸からなる二次元上の座標上の始点と移動点を検知する平板状のセンサーとして、あるいは電子機器に於いて表示装置と一体化された利便性の高い高機能商品が開発されている。
本考案は、従来の座標位置と移動量を検知する二次元タッチパッドの常識を覆し、ホイール回転体・センサー・回転軸のリプレースの為に、低コスト（組立生産効率・部品点数）・軽薄短小性・デザインフレキシビリティ、ホイールの操作性と利便性・スピーディな操作等の全ての特長を維持・進化を実現させた一次元タッチパッドの採用により、操作の迅速化・効率化を目指し、携帯電話・記録装置用リモコン用システムに関する考案です。
【課題を解決するための手段】
【０００４】複数の領域に分割されていない、かつ領域を特定の単一の選択候補に割り当てられていない一次元タッチパッドの長手方向しかタッチ情報の検知を行わない、あるいは短手方向で僅かな幅の検知しか行わない、横と縦軸からなる二次元体の平板に於けるｘ軸とｙ軸上の点として定義される座標位置や座標位置の移動量を検知する従来のタッチパッドと異なり、一次元である直線状あるいは曲線状の一次元タッチパッド３７上のタッチ始点とタッチ中の移動点・指リリース点の間の移動量と順あるいは逆方向を検知する一次元タッチパッド３７と、このタッチパッドを電気的にコントロールする為のタッチパッド制御手段３６と、タッチ点を検知するタッチ始点検知手段３０と、タッチ後にタッチ中に移動している点をリアルタイムで検知し表示手段と連動させ表示切替の為連携を行うタッチ中の点の検知手段３１と、タッチした後に前記タッチパッドから指をリリースし離したリリース点の検知手段３２と、前記の３つの検知手段３０と３１と３２で検知されたデータを記憶するタッチ始点・タッチ中の点・リリース点を記憶するメモリー４０、これに基づき一次元移動量と移動方向の演算を行う為の一次元移動量と移動方向の検知手段４１と、前記タッチパッドとテンキー等のキーボタン３４からの入力情報をタッチ中の点の検知手段３１からの情報を踏まえ連携したリアルタムでの選択候補の表示と表示切替を行う為の表示切替手段３３と、表示データを記憶・表示出力を生成・表示管理する為の表示制御手段３３と、表示を行う表示装置と駆動回路からなる表示手段３３と、方向キー・決定キー等の押しボタンの検知・管理を行う前記キーボタンとキー入力手段３４と、前記のキーボタンとキー入力検知手段とタッチパッド制御手段からの選択・入力情報と表示切替を行う前記の表示制御手段３３の管理を行う制御手段３５から構成される一次元タッチパッドシステムに於いて、ＨＤＤ・光ディスク・メモリーからなる記憶手段３８を有し、これに撮影・記録あるいはダウンロードした任意の選択候補である静止画・動画・音楽ファイル・メールアドレス・電話番号・ＦＡＸ番号の選択候補の選択・管理・再生・表示選択を行う為のファイル一覧管理手段５２を内蔵し、前記始点検知手段と前記タッチ中の点の検知手段からの情報に基づき、一次元タッチパッド上のタッチ・なぞりによるタッチ始点とタッチしつつなぞっている点との間の移動量と移動方向に対応する選択候補の表示切替を表示切替手段と表示制御手段３３にて行い、お目当ての選択候補の表示時にタッチ中の指をリリースし、リリース点の検知手段を利用し、選択候補一覧のファイル名の一覧表上でのファイル選択・表示画面のページ切替え・画面スクロール操作がスピーディに行える事を特徴とする、ファイルと任意の画面位置の選択を行う携帯電話・リモコン・デジカメ・ビデオカメラ・ＦＡＸ・固定電話・ＰＨＳ・ＰＤＡの電子機器用の一次元タッチパッドシステム。
【考案の効果】
【０００５】本考案により、方向キーを度重なり打鍵する事なく、一次元タッチパッド上をタッチ・なぞり、移動量と移動方向に基づく選択候補の表示の切替、利用者は画面を見ながら、任意の選択候補で指をリリース離しにより、任意の移動量と順・逆方向への移動を目指し、直線あるいは曲線あるいはＣ文字型あるいは環状にデザインした一次元タッチパッド上をタッチ・なぞり・リリース離しにより、携帯メールのメッセージ入力画面のスクロール、ワンセグチューナーの放送局・チャンネルの切り替え、携帯電話のインターネットに於けるＨＰ情報の表示画面のスクロールや携帯電話で撮影した写真・動画・音楽ファイル等の選択や音楽再生機能を利用し再生する音楽タイトル名の選択を目指した一次元タッチパッドのタッチ・なぞり・リリース離しにより可能にするものです。
更にテレビや記録装置の場合は、リモコンへの一次元タッチパッドと縦横スクロールの切り替えボタンの内蔵により、電子番組表に於いて、切り替えボタンで縦と横のスクロール移動を切り替え、横あるいは縦方向に一次元タッチパッドを利用し、番組予約の為の番組表上の選択番組の大きな移動、スクロールをコントロールし、スピーディでスマートな番組予約を可能にするものです。
一次元タッチパッドでは、タッチパッド制御手段を構成するＬＳＩの必要端子数が二次元タッチパッドの約半分ですみ、専用の表示装置と組み合わせず、携帯電話の場合は主表示画面を利用し、リモコンの場合はテレビの画面を利用し電子番組表を表示し、ホイールを組み込んだ場合に比べコスト面で優れたシンプルな一次元タッチパッドシステムにて選択やスクロール等の操作の迅速化が目指せる。更にデザインフレキシビリティに優れている事から、一次元タッチパッドセンサーをＣ文字型あるいは環状に設計し、方向キーの外周にデザインが可能であり、軽薄短小も改善できる。
【考案を実施するための最良の形態】
【０００６】図１に本考案を実現するための最良の形態について説明します。本考案では、携帯電話で利用する場合、左利きや右利き等の利用者を想定し、テンキーの左右両端のキーとキャビネット端の間の隙間の位置又は当該機器の側面位置等に、縦長のタッチパッドを左右計２本又は片側に配し、表示切替手段３３を配し、タッチ始点・タッチ中の点・リリース点を検知し、一次元移動量と移動方向の検知手段４１にて指の移動（なぞり）方向と移動（なぞり）量を演算し、順・逆方向と移動量を検知し、タッチ始点・タッチ中の点・リリース点データ用メモリー４０に位置情報を記憶し、移動量と方向に対応する表示切替・選択候補の表示を行う表示切替手段を有し、タッチなぞり位置移動に合わせた表示切替を行い、メール入力画面やＨＰ閲覧ＪＯＢに於けるスクロールを、指のリリースにより可能にし、今までの様に度重なり方向キーを打鍵せずにスマートにスピーディに行える様にするものです。
更に携帯電話・ＰＨＳで、撮影した写真やダウンロードした音楽又は動画ファイルの一覧表からの選択あるいは選択ページの表示切替を行い、スマート且つスピーディに前記の一次元タッチパッドをなぞりリリースする事により実現するものです。
現在、商品化されている一部の携帯電話では、表示手段と二次元タッチパッドが一体化されており、簡便な操作を実現しているが、表示画面を常時指でタッチしなぞっている事から指紋や汚れが表面に付着する上、セルギャップが極めて狭い液晶等の表示デバイスの表示機能や画質の劣化に結び付く上、大型の表示パネルに対応する多入出力のタッチパッド制御手段を構成するＬＳＩの実装と配線が求められ、コスト高に繋がり、新興国のボリュームゾーンでの爆発的な普及は困難です。
更に携帯電話で受信あるいは送信したメールの一覧表から特定のメッセージを表示させる際に、方向キーを度重なり打鍵せずに、一次元タッチパッドをタッチなぞる事によりスピーディでスマートに選択あるいは表示画面・一覧表ページの切り替えを行うものです。
更に携帯電話でメールの送信あるいは通話の為のメールアドレスあるいは電話番号のアドレス帳からの宛先の選択に於いて、前記一次元タッチパッドをタッチ・なぞり・リリースする事により、スピーディでスマートな選択を可能にするものです。
更にワンセグテレビ表示モード対応携帯電話・ＰＨＳあるいはテレビ・記録装置用リモコンに於いて、チャンネルを切替える操作を表示と連携した一次元タッチパッドをタッチ・なぞり・リリースによりスピーディ且つスマートに選択が可能となり、打鍵数を削減できる。
図４、５、６に示します様に本考案の一次元タッチパッドは、ｘ軸とｙ軸上の値から定義される座標位置あるいは座標位置の移動情報を検知する、表示と一体化された従来の二次元タッチパッドと異なり、主として長手方向のみタッチパッド制御手段を構成する多入出力を有する制御ＬＳＩを実装・配線し、短手方向には１あるいは僅かな検知幅しか検知性能を有さない。
【実施例】
【０００７】図１に携帯電話の具体的な実施例について説明します。  更にＨＤＤレコーダー等の記録装置用のリモコンに、一次元タッチパッドとモード切替ボタンの実装により、電子番組表に於いて、リモコンに具備された横あるいは縦のスクロール方向を切替える縦横スクロールの切替えボタンと低コスト一次元タッチパッドシステムのタッチパッド上をタッチ・なぞり・リリースにより電子番組表での番組予約に於いて、予約選択の為の予約操作をスピーディ且つスマートに改変するものです。
更にスピーディな選択候補の選択を行う為に一次元タッチパッド上に、選択候補の切替えに対応する前記タッチパッド上の一定間隔の位置に凹凸あるいは突起を形成し、利用者が前記タッチパッド上をなぞり指の触覚にて突起あるいは凹凸の数をカウントする事によりスピーディな選択を追求するものです。
一部の極めて上位のリモコン機種には、表示と一体化された二次元タッチパッドが先端部に内蔵している機種もあるが、高価で光回線に於ける高度な選択する為のもので、番組表に於ける番組の予約は、当該リモコン内に具備された方向キーにて行われ、本考案の一次元タッチパッドとは、課題と手段と目的が異なっている。
【図面の簡単な説明】
【０００８】
【図１】携帯電話の正面から見た外観図にて本考案の説明を行います。
【図２】携帯電話または記録装置用リモコンの場合のブロック回路図にて本考案の説明を行います。
【図３】リモコンを正面から見た表示画面の外観図にて本考案の説明を行います。
【図４】本考案の一次元タッチパッドの外観図で本考案の説明を行います。
【図５】本考案の一次元タッチパッドの外観図で本考案の説明を行います。。
【図６】本考案の一次元タッチパッドの外観図で本考案の説明を行います。
【図７】電子番組表のテレビに於ける表示画面にて本考案の説明を行います。
【符号の説明】
【０００９】１  携帯電話の表示ブロック
２  表示画面
３  決定ボタン
４  方向キー
５  メニューボタンやアドレス帳等の携帯電話のボタン（キー）
６  左側の一次元タッチパッド
７  右側の一次元タッチパッド
８  テンキー、０から９の数字や＃・＊キー、仮名や英字を兼ねるボタン（キー）
９  文字種の切替えボタン（キー）
１０  電子番組表の表示画面
１１  電子番組表に於ける週間予約表の現在の選択日
１２  電子番組表の週の日付
１３  今日の場合の時間帯
１４  現在の選択中の枠あるいは記しあるいは白黒反転等の識別体
１５  電子番組表の特定放送局に於ける時間ごとの放映予定の番組選択の為の移動
１６  一週間先までの予約可能な日付
１７  放送局、テレビ局、チャンネル
１８  現在の選択中の放送局の変更の為の移動
１９  現在の選択中の放送局の変更の為の移動
２０  赤外リモコンの電源ボタン
２１  テンキーボタン
２２  チャンネルボタン
２３  方向キー
２４  電子番組表に於ける一次元タッチパッドによる縦横移動の切り替えボタン
２５  タッチパッドセンサー、長手方向のタッチしか検知しない一次元タッチパッド
２６  タッチパッドを指でタッチしなぞる方向
２７  利用者の指
２８  電子番組表管理手段、ワンセグ対応携帯電話用あるいはテレビ・記録装置用リモコン
２９  放送局、テレビ局、チャンネル
３０  始点検知手段
３１  タッチ中の点の検知手段
３２  リリース点の検知手段
３３  表示切替手段と表示制御手段と表示手段
３４  キーボタンとキー入力手段
３５  制御手段
３６  タッチパッド制御手段
３７  一次元タッチパッド
３８  記憶手段、ＨＤＤ、ＲＡＭ、フラッシュメモリー等
３９  スクロール制御手段
４０  タッチ点・タッチ中の点・リリース点データ用メモリー
４１  一次元移動量と移動方向の検知手段
４２  本考案の一次元タッチパッドシステム
４３  利用者のキーボタンへの入力行動
４４  利用者によるタッチパッドのタッチ・なぞり・リリース操作
４５  二次元タッチパッドのＹ軸方向の軸
４６  二次元タッチパッドのＸ軸方向の軸
４７  一次元タッチパッドで構造的に検知しない座標位置
４８  一次元タッチパッドで構造的に検知可能な一次元位置
４９  一次元タッチパッド上に於ける検知可能なタッチ移動量と移動方向
５０  一次元タッチパッド上に於いて検知できないタッチ移動量と移動方向
５１  メモ帳管理手段
５２  ファイル一覧管理手段
５３  アドレス帳管理手段
５４  音量調整手段
５５  放送局選択手段
５６  メールメッセージ管理手段
【図１】
0003157187.tif 000003
【図２】
0003157187.tif 000004
【図３】
0003157187.tif 000005
【図４】
0003157187.tif 000006
【図５】
0003157187.tif 000007
【図６】
0003157187.tif 000008
【図７】
0003157187.tif 000009
【手続補正書】
【提出日】平成21年9月10日(2009.9.10)
【手続補正１】
【補正対象書類名】実用新案登録請求の範囲
【補正対象項目名】全文
【補正方法】変更
【補正の内容】
【実用新案登録請求の範囲】
【請求項１】
複数の領域に分割されていない、かつ領域を特定の単一の選択候補に割り当てられていない一次元タッチパッドの長手方向しかタッチ情報の検知を行わない、あるいは短手方向で僅かな幅の検知しか行わない、横と縦軸からなる二次元体の平板に於けるｘ軸とｙ軸上の点として定義される座標位置や座標位置の移動量を検知する従来のタッチパッドと異なり、一次元である直線状あるいは曲線状の一次元タッチパッド３７上のタッチ始点とタッチ中の移動点・指リリース点の間の移動量と順あるいは逆方向を検知する一次元タッチパッド３７と、このタッチパッドを電気的にコントロールする為のタッチパッド制御手段３６と、タッチ点を検知するタッチ始点検知手段３０と、タッチ後にタッチ中に移動している点をリアルタイムで検知し表示手段と連動させ表示切替の為連携を行うタッチ中の点の検知手段３１と、タッチした後に前記タッチパッドから指をリリースし離したリリース点の検知手段３２と、前記の３つの検知手段３０と３１と３２で検知されたデータを記憶するタッチ始点・タッチ中の点・リリース点を記憶するメモリー４０、これに基づき一次元移動量と移動方向の演算を行う為の一次元移動量と移動方向の検知手段４１と、前記タッチパッドとテンキー等のキーボタン３４からの入力情報をタッチ中の点の検知手段３１からの情報を踏まえ連携したリアルタムでの選択候補の表示と表示切替を行う為の表示切替手段３３と、表示データを記憶・表示出力を生成・表示管理する為の表示制御手段３３と、表示を行う表示装置と駆動回路からなる表示手段３３と、方向キー・決定キー等の押しボタンの検知・管理を行う前記キーボタンとキー入力手段３４と、前記のキーボタンとキー入力検知手段とタッチパッド制御手段からの選択・入力情報と表示切替を行う前記の表示制御手段３３の管理を行う制御手段３５から構成される一次元タッチパッドシステムに於いて、ＨＤＤ・光ディスク・メモリーからなる記憶手段３８を有し、これに撮影・登録・記録あるいはダウンロードした任意の選択候補である静止画・動画・音楽ファイル・環境設定ファイル・メールアドレス・電話番号・機能選択メニューの選択候補の選択・管理・再生（ファイル実行）の指示を行う為のファイル一覧管理手段５２を内蔵し、前記タッチ中の点の検知手段からの情報に基づき、一次元タッチパッド上のタッチ・なぞりによるタッチ始点とタッチしつつなぞっている点との間の移動量と移動方向に対応する選択候補の表示切替を表示切替手段と表示制御手段３３にて行い、お目当ての選択候補の表示時にタッチ中の指をリリースし、リリース点の検知手段３２を利用し、音楽再生・動画再生・静止画表示・メールメッセージ表示・メール入力又はメモ帳の入力画面での画面スクロール・メモ帳のメモ入力保存したデータの表示・地図又はＨＰのスクロール・機能選択メニューからの機能選択・環境設定ファイルの設定の為に、一覧表示画面のページ切替え・画面スクロール・選択候補のファイル一覧表上からのファイル選択指示がスピーディに行える、ファイルと任意の画面位置の選択指示（スクロール）を行う事を特徴とする携帯電話・テレビ・記録装置用リモコン・ＰＨＳ用の一次元タッチパッドシステム。
【請求項２】
請求項１に記載の一次元タッチパッドシステムであって、電子機器・リモコンの方向キー４の周辺部に配置可能な様に直線の前記一次元タッチパッドの両端を曲げたＣ文字型又は環状に設計した一次元タッチパッドと前記ファイル一覧管理手段５２を内蔵し、一次元タッチパッドのタッチなぞりを検知し、これに対応する選択候補の表示切替を表示切替手段３３にて行い、リリース点の検知手段３２にて検知し、表示画面のページ切替え・画面スクロール操作・ファイルあるいは特定の表示画面位置の選択候補の選択が前記一次元タッチパッドのタッチ・なぞり・リリースにより、前記選択候補からのファイル選択が可能な事を特徴とする、ファイルと任意の画面位置の選択指示を行える携帯電話・テレビ・記録装置用リモコン・ＰＨＳ用の一次元タッチパッドシステム。
【請求項３】
請求項１又は請求項２に記載の一次元タッチパッドシステムであって、前記選択候補の表示切替に対応した前記一次元タッチパッド上に、スピーディな選択候補の選択あるいはスピーディなスクロール量・スクロール方向の指示を行う為に複数の突起あるいは凹凸を一定間隔で形成し、利用者が指の触覚にて前記一次元タッチパッド上をなぞった際に、突起あるいは凹凸の数から移動量を知覚しつつ選択候補からのファイル選択・表示画面のページ切替え・任意の表示画面位置の選択（スクロール）が可能な事を特徴とする前記一次元タッチパッドを内蔵し、前記ファイル一覧管理手段により、ファイルと任意の画面位置の選択指示を行う事が可能な事を特徴とする携帯電話・テレビ・記録装置用リモコン・ＰＨＳ用の一次元タッチパッドシステム。
【請求項４】
請求項１又は請求項２又は請求項３に記載の一次元タッチパッドシステムであって、携帯電話・ＰＨＳで、受信あるいは送信したメッセージのファイルの選択・管理・表示を行うメールメッセージ管理手段５６と受信・送信メールメッセージの記憶を行う為の記憶手段３８の内蔵により、一次元タッチパッドのタッチ・なぞり移動により、タッチ始点とタッチ中の点との間の移動量と移動方向に対応する現在のカーソル位置あるいは表示画面のスクロール位置の表示切替を行い、受信したメール・過去に送信した携帯メールの一覧表に於いて、特定のメールメッセージのファイル選択・前記メールメッセージを表示する為に、表示画面のページ切替え・画面スクロール・ファイル選択が可能な事を特徴とするファイルと任意の画面位置の選択指示を行う為の携帯電話・ＰＨＳ用の一次元タッチパッドシステム。
【請求項５】
請求項１又は請求項２又は請求項３に記載の一次元タッチパッドシステムであって、地図又はＨＰを表示すると共に地図表示時には地図のズーム倍率を制御するズーム制御を行うスクロール手段３９と地図又はＨＰデータを記憶する記憶手段３８を内蔵し、地図・画像と文字等から構成されるＨＰのデータを記憶手段３８に記憶し、表示画面にＨＰ情報の表示を行い、一次元タッチパッドのタッチ・なぞりにより、タッチ始点とタッチ中の点との間の移動量と移動方向に対応するスクロール・表示画面切替・カーソル位置あるいは現在の選択位置の移動を行い、お目当ての画面選択候補位置にて指のリリースにより、携帯電話・ＰＨＳに表示の地図又はＨＰ閲覧画面に於いてスピーディでスマートな画面スクロール又は、現在の選択位置を示すカーソルの移動による画面位置の移動又は地図表示時には地図の表示倍率を制御したズーム制御が可能なことを特徴とするファイルと任意の画面位置の選択指示を行う為の携帯電話・ＰＨＳ用の一次元タッチパッドシステム。
【請求項６】
請求項１又は請求項２又は請求項３に記載の一次元タッチパッドシステムであって、メールアドレスあるいは通話先の電話番号・宛名名を含むデータを管理し、特定の相手へのメールメッセージの表示あるいは特定の相手との電話ダイヤルを行うアドレス帳管理手段５３と相手先のアドレス・電話番号・相手先を記憶する記憶手段３８の内蔵により、メール宛先又は電話番号の一覧表で構成されるアドレス帳の一覧表に選択候補の表示を行い、前記一次元タッチパッドのタッチ・なぞりにより、タッチ始点とタッチ中の点との間の移動量と移動方向に対応する現在の選択中の相手先の選択候補の表示切替を行い、任意の選択候補の表示時に指をリリースし離す事をリリース点の検知手段３２にて検知し、通話あるいはメールの相手先のメールアドレス・電話番号のスピーディでスマートな選択・特定の相手へのメールアドレスが入力されたメッセージの作成・特定の相手との電話ダイヤルを行う為の表示切替・スクロール・相手先情報の選択が可能な事を特徴とするファイルと任意の画面位置の選択指示を行う為の携帯電話・ＰＨＳ用一次元タッチパッドシステム。
【請求項７】
請求項１又は請求項２又は請求項３に記載の一次元タッチパッドシステムであって、メモ帳にてメモを入力・保存可能なメモ帳管理手段５１により、文字入力したメモ文を記憶する記憶手段３８を内蔵した携帯電話・ＰＨＳに於いて、前記一次元タッチパッドのタッチ・なぞり、前記一次元タッチパッド上の任意の位置での指のリリース離しにより、タッチ始点となぞり・リリースした点との間の移動量と移動方向に対応する表示画面の切替・スクロールを表示切替手段３３にて行い、任意の画面位置で指をリリースし、メモ帳に於ける画面スクロール・現在の文字入力位置であるカーソル位置の移動指示がスピーディにスマートに行える事を特徴とするファイルと任意の画面位置の選択指示を行う為の携帯電話・ＰＨＳ用の一次元タッチパッドシステム。
【請求項８】
請求項１又は請求項２又は請求項３に記載の一次元タッチパッドシステムであって、ワンセグ又はデータ放送により提供される電子番組表の管理と前記一次元タッチパッドのスクロール方向を切り替える為のスクロール方向の切替ボタン操作あるいは方向キーを押しつつ一次元タッチパッドのタッチし・なぞりを監視する電子番組表管理手段２８と、前記スクロール方向の切替ボタンを有する場合、縦横のスクロール方向の切り替えボタン２４を内蔵せず、テレビチャンネルの切替えを方向キーの同時操作で切替えて上で、前記一次元タッチパッドのタッチ・なぞり・リリース離しにより、又は前期切替えボタンを内蔵した場合は、これで縦横のスクロールを切り替え、予約時間・日の選択を行う為に、携帯電話の表示画面あるいはテレビ画面に、タッチ始点とタッチ中の点との間の移動量と移動方向に対応する現在の選択番組の表示・表示切替を行い、目的の番組が選択された状態で指をリリースし、電子番組表による視聴・録画予約の為の番組の選択指示を一次元タッチパッドにてスピーディにスマートに打鍵数を削減しつつ、視聴・録画予約の為の番組選択が行える事を特徴とする、ファイルと任意の画面位置の選択指示を行う為の携帯電話・ＰＨＳ・テレビ・記録装置用リモコン用の一次元タッチパッドシステム。
【請求項９】
請求項１又は請求項２又は請求項３に記載の一次元タッチパッドシステムであって、携帯電話・ＰＨＳ・テレビ・記録装置用リモコン用のワンセグテレビ又はテレビ放送の音量あるいは通話時の音量の調整が現在の記憶された音量レベルを可変可能な一次元タッチパッドにてスピーディに行える音量調整手段５４の内蔵により、タッチ・なぞりによりスピーカーあるはイヤーフォンから出力される音量につき、前記音声調整手段の音量調整バーあるいは音量の数値の歩湯時切替を行い、任意の位置で前記一次元タッチパッドのリリースによる移動量と移動方向の指示による現在の音量レベルを示すバーあるいは数値に基づき切り替え・任意の音量レベルの選択指示が可能な事を特徴とする携帯電話・ＰＨＳ・テレビ・記録装置用リモコン用の一次元タッチパッドシステム。
【請求項１０】
請求項１又は請求項２又は請求項３に記載の一次元タッチパッドシステムであって、ワンセグチューナー内蔵の携帯電話又はＰＨＳ又はデータ放送対応のテレビ又は記録装置用リモコンに於いて、視聴あるいは録画する為のチャンネル（放送局）の切替えを・管理を行う視聴あるいは録画・視聴予約する放送局選択手段５５の内蔵により、タッチしなぞりを検知する為の前記タッチ中の点の検知手段３１にて表示手段３３により表示されているチャンネルの選択候補をリアルタイムで表示切替手段３３にてチャンネルの選択候補の表示切替を行い、視聴するチャンネルを一次元タッチパッドのタッチ・なぞり、特定の希望のチャンネルに於いて指のリリースを行う事により、チャンネルの選択が可能な事を特徴とする、ファイルと任意の画面位置の選択指示を行う為の携帯電話・ＰＨＳ・テレビ・記録装置用リモコン用の一次元タッチパッドシステム。
【請求項１１】
請求項１又は請求項２又は請求項３に記載の一次元タッチパッドを利用したシステムであって、一次元タッチパッドと楽曲の一覧管理と楽曲再生を行うファイル一覧管理手段と楽曲を記憶可能な記憶手段３８の内蔵により、前記の一次元タッチパッドのタッチ・なぞり・リリースにより、表示画面のページ切替え・画面のスクロール・前記楽曲の選択候補からの選択指示を行う事を特徴とするデジタル音楽プレーヤー用の一次元タッチパッドシステム。
【請求項１２】
請求項１又は請求項２又は請求項３に記載の一次元タッチパッドを利用したシステムであって、一次元タッチパッドと静止画あるいは動画の管理・選択候補の表示・動画再生を行う為のファイル一覧管理手段と、静止画あるいは動画データを記憶する記憶手段３８の内蔵により、静止画・動画の再生の為、前記ファイル選択候補選択と任意の画面位置の選択・表示画面のページ切替え・画面スクロール操作・ファイル選択指示を行う事を特徴とするデジタルカメラ・ビデオカメラ用の一次元タッチパッドシステム。
【手続補正２】
【補正対象書類名】明細書
【補正対象項目名】０００４
【補正方法】変更
【補正の内容】
【０００４】複数の領域に分割されていない、かつ領域を特定の単一の選択候補に割り当てられていない一次元タッチパッドの長手方向しかタッチ情報の検知を行わない、あるいは短手方向で僅かな幅の検知しか行わない、横と縦軸からなる二次元体の平板に於けるｘ軸とｙ軸上の点として定義される座標位置や座標位置の移動量を検知する従来のタッチパッドと異なり、一次元である直線状あるいは曲線状の一次元タッチパッド３７上のタッチ始点とタッチ中の移動点・指リリース点の間の移動量と順あるいは逆方向を検知する一次元タッチパッド３７と、このタッチパッドを電気的にコントロールする為のタッチパッド制御手段３６と、タッチ点を検知するタッチ始点検知手段３０と、タッチ後にタッチ中に移動している点をリアルタイムで検知し表示手段と連動させ表示切替の為連携を行うタッチ中の点の検知手段３１と、タッチした後に前記タッチパッドから指をリリースし離したリリース点の検知手段３２と、前記の３つの検知手段３０と３１と３２で検知されたデータを記憶するタッチ始点・タッチ中の点・リリース点を記憶するメモリー４０、これに基づき一次元移動量と移動方向の演算を行う為の一次元移動量と移動方向の検知手段４１と、前記タッチパッドとテンキー等のキーボタン３４からの入力情報をタッチ中の点の検知手段３１からの情報を踏まえ連携したリアルタムでの選択候補の表示と表示切替を行う為の表示切替手段３３と、表示データを記憶・表示出力を生成・表示管理する為の表示制御手段３３と、表示を行う表示装置と駆動回路からなる表示手段３３と、方向キー・決定キー等の押しボタンの検知・管理を行う前記キーボタンとキー入力手段３４と、前記のキーボタンとキー入力検知手段とタッチパッド制御手段からの選択・入力情報と表示切替を行う前記の表示制御手段３３の管理を行う制御手段３５から構成される一次元タッチパッドシステムに於いて、ＨＤＤ・光ディスク・メモリーからなる記憶手段３８を有し、これに撮影・記録・登録又はダウンロードした任意の選択候補である静止画・動画・音楽ファイル・メールアドレス・電話番号・機能選択メニューからの機能選択・環境設定の選択候補の選択・管理・再生・ファイル実行指示を行う為のファイル一覧管理手段５２を内蔵し、前記始点検知手段と前記タッチ中の点の検知手段からの情報に基づき、一次元タッチパッド上のタッチ・なぞりによるタッチ始点とタッチしつつなぞっている点との間の移動量と移動方向に対応する選択候補の表示切替を表示切替手段と表示制御手段３３にて行い、お目当ての選択候補の表示時にタッチ中の指をリリースし、リリース点の検知手段を利用し、音楽再生・動画再生・静止画表示・任意のメールメッセージの表示・メール又はメモ帳の表示画面でのスクロール・任意のメモ帳のメモ入力で保存したデータの表示・ＨＰ又は地図の表示画面のスクロール・環境設定画面での設定項目の表示・メールメッセージまたはメモ帳入力画面での画面スクロール・メニューでの選択候補の選択を行う機能選択メニューからの機能選択の為、選択候補選択の一覧表示画面のページ切替え・画面スクロール・選択候補のファイル一覧表上でのファイル選択指示が、スピーディに行える事を特徴とする、ファイルと任意の画面位置の選択（スクロール）の為の選択指示を行う携帯電話・デジタルカメラ（デジカメ）・ビデオカメラ・テレビ・記録装置用リモコン・ＰＨＳ・デジタル音楽プレーヤー用の一次元タッチパッドシステム。
携帯電話・ＰＨＳの場合は、ＨＰと地図の表示と画面スクロールに加え、地図表示時にズーム倍率を制御を行うスクロール制御手段３９により、縦と横のスクロール方向の切替ボタンの操作あるいは方向キーとズーム機能選択に割り当てられたボタンの操作あるいは一次元タッチパッドと特定のキーボタン操作とタッチ・なぞり・リリースの同時操作により、一次元タッチパッドを利用し、縦横方向へのスピーディなスクロールあるいは地図表示時にズーム倍率の選択指示を実現するものです。
更にテレビ・記録装置用リモコンに於いては、縦横のスクロール方向の切替ボタンの操作あるいは方向キーと前記ボタンの同時操作を監視すると共に番組予約を行い電子番組表を管理する電子番組表管理手段２８を内蔵し、一次元タッチパッドのタッチ・なぞり・リリースにより、一次元タッチパッドを利用し、電子番組表に於いて、録画予約・視聴予約の為に、現在の選択中の番組を左右・上下方向へ移動させ、スピーディなスクロールの為の選択指示を行うものです。
更に音量レベルの調整を一次元タッチパッドをタッチ・なぞり・リリースによりテレビ・記録装置・デジタル音楽プレーヤー・ビデオカメラにて行う。
更にデジカメ・ビデオカメラに於いて、一次元タッチパッドと制御システムとファイル一覧管理手段と記憶手段の内蔵によりスピーディに再生する動画・静止画の選択が可能になる。
更にデジタル音楽プレーヤー又はデジタル音楽プレーヤー用リモコンにも、表示手段・表示切替手段により、ファイル選択を一次元タッチパッドをタッチし・なぞる事により、記憶装置に記憶させた複数の楽曲からの任意の楽曲を音楽再生が可能となる。
【手続補正３】
【補正対象書類名】明細書
【補正対象項目名】０００１
【補正方法】変更
【補正の内容】
【０００１】携帯電話、テレビ・記録装置用リモコン、デジタルカメラ（デジカメ）、ビデオカメラ、デジタル音楽プレーヤー等の電子機器用のファイル・画面位置の選択（スクロール）を行う為のタッチパッドセンサーの技術分野に関するものです。
【手続補正４】
【補正対象書類名】明細書
【補正対象項目名】０００２
【補正方法】変更
【補正の内容】
【０００２】携帯電話、テレビ・記録装置用リモコン、デジタルカメラ（デジカメ）、ビデオカメラ、デジタル音楽プレーヤー等の電子機器には、方向キーと決定キーが利用されている。  記録装置に記憶されたファイルの再生・表示の為のファイル選択や携帯電話に於けるＨＰやメール入力編集画面位置の選択（スクロール）の為には、方向キーを多数回打鍵し、選択する手間が求められている。  この候補選択と画面位置の切替・選択（スクロール）のスピーディ化・スマート化が求められており、一部の携帯電話では、方向キーを兼ねるホイールと回転検知センサーや回転軸や回転体機構からなるホイールシステムによるスピーディでスマートな回転による順・逆方向での選択候補の選択・画面のスクロールを実現している。しかしユーザの更なる軽薄短小化・お求め易い低価格化、デザイン性向上と構造のシンプル化ニーズに応えるつつ、マンマシンインターフェイスの進化という複数の課題の同時の解決の考案が求められている。
【手続補正書】
【提出日】平成21年11月18日(2009.11.18)
【手続補正１】
【補正対象書類名】実用新案登録請求の範囲
【補正対象項目名】請求項１
【補正方法】変更
【補正の内容】
【請求項１】
複数の領域に分割されていない、かつ領域を特定の単一の選択候補に割り当てられていない一次元タッチパッドの長手方向しかタッチ情報の検知を行わない、あるいは短手方向で僅かな幅の検知しか行わない、横と縦軸からなる二次元体の平板に於けるｘ軸とｙ軸上の点として定義される座標位置や座標位置の移動量を検知する従来のタッチパッドと異なり、一次元である直線状あるいは曲線状の一次元タッチパッド３７上のタッチ始点とタッチ中の移動点・指リリース点の間の移動量と順あるいは逆方向を検知する一次元タッチパッド３７と、このタッチパッドを電気的にコントロールする為のタッチパッド制御手段３６と、タッチ点を検知するタッチ始点検知手段３０と、タッチ後にタッチ中に移動している点をリアルタイムで検知し表示手段と連動させ表示切替の為連携を行うタッチ中の点の検知手段３１と、タッチした後に前記タッチパッドから指をリリースし離したリリース点の検知手段３２と、前記の３つの検知手段３０と３１と３２で検知されたデータを記憶するタッチ始点・タッチ中の点・リリース点を記憶するメモリー４０、これに基づき一次元移動量と移動方向の演算を行う為の一次元移動量と移動方向の検知手段４１と、前記タッチパッドとテンキー等のキーボタン３４からの入力情報をタッチ中の点の検知手段３１からの情報を踏まえ連携したリアルタムでの選択候補の表示と表示切替を行う為の表示切替手段３３と、表示データを記憶・表示出力を生成・表示管理する為の表示制御手段３３と、表示を行う表示装置と駆動回路からなる表示手段３３と、方向キー・決定キー等の押しボタンの検知・管理を行う前記キーボタンとキー入力手段３４と、前記のキーボタンとキー入力検知手段とタッチパッド制御手段からの選択・入力情報と表示切替を行う前記の表示制御手段３３の管理を行う制御手段３５から構成される一次元タッチパッドシステムに於いて、ＨＤＤ・光ディスク・メモリーからなる記憶手段３８を有し、これに撮影・登録・記録あるいはダウンロードした任意の選択候補である静止画・動画・音楽ファイル・環境設定ファイル・メールアドレス・電話番号・機能選択メニューの選択候補の選択・管理・再生の指示を行う為のファイル一覧管理手段５２を内蔵し、前記タッチ中の点の検知手段からの情報に基づき、一次元タッチパッド上のタッチ・なぞりによるタッチ始点とタッチしつつなぞっている点との間の移動量と移動方向に対応する選択候補の表示切替を表示切替手段と表示制御手段３３にて行い、お目当ての選択候補の表示時にタッチ中の指をリリースし、リリース点の検知手段３２を利用し、音楽再生・動画再生・静止画表示・メールメッセージ表示・メール入力又はメモ帳の入力画面での画面スクロール・メモ帳のメモ入力保存したデータの表示・地図又はＨＰのスクロール・機能選択メニューからの機能選択・環境設定ファイルの設定の為に、一覧表示画面のページ切替え・画面スクロール・選択候補のファイル一覧表上からのファイル選択指示がスピーディに行える、ファイルの選択指示と任意の画面位置の選択指示のスクロールを行う事を特徴とする携帯電話・テレビ・記録装置用リモコン・ＰＨＳ用の一次元タッチパッドシステム。
【手続補正２】
【補正対象書類名】実用新案登録請求の範囲
【補正対象項目名】請求項３
【補正方法】変更
【補正の内容】
【請求項３】
請求項１又は請求項２に記載の一次元タッチパッドシステムであって、前記選択候補の表示切替に対応した前記一次元タッチパッド上に、スピーディな選択候補の選択あるいはスピーディなスクロール量・スクロール方向の指示を行う為に複数の突起あるいは凹凸を一定間隔で形成し、利用者が指の触覚にて前記一次元タッチパッド上をなぞった際に、突起あるいは凹凸の数から移動量を知覚しつつ選択候補からのファイル選択・表示画面のページ切替え・任意の表示画面位置の選択のスクロールが可能な事を特徴とする前記一次元タッチパッドを内蔵し、前記ファイル一覧管理手段により、ファイルと任意の画面位置の選択指示を行う事が可能な事を特徴とする携帯電話・テレビ・記録装置用リモコン・ＰＨＳ用の一次元タッチパッドシステム。